(57)【要約】【課題】長年天板等の開閉体を水平垂直方向に可変して使用しても破損しにくい、開閉体の支持構造を提供する。【解決手段】前面開口の箱型本体と開閉体との間には、同開閉体を水平位置及び垂直位置に移動自在とする支持機構を配設して、支持機構は開閉体の両側部を支持する支持部と箱型本体の内壁面に形成した溝部と同溝部に係合する開閉体の両側部に設けた係合部とからなる開閉体支持構造を提供する。【選択図】図１
2017213116.tif 000002
【特許請求の範囲】
【請求項１】
前面開口の箱型本体と開閉体との間には、同開閉体を水平位置及び垂直位置に移動自在とする支持機構を配設して、支持機構は開閉体の両側部を支持する支持部と箱型本体の内壁面に形成した溝部と同溝部に係合する開閉体の両側部に設けた係合部とからなることを特徴とする開閉体支持構造。
【請求項２】
支持機構は、開閉体の側部に回転自在に軸支した係合部としてのローラと、同ローラを摺動自在とする箱型本体の側板に形成した溝部としてのローラ用ガイド溝と、箱型本体の側板に設けた支持部としてのガイドピンと、同ガイドピンを摺動自在とする開閉体の側部に形成したガイドピン溝からなる
ことを特徴とする請求項１に記載の開閉体支持構造。
【請求項３】
支持機構は、開閉体の側部に設けた係合部としての凸部と、同凸部を摺動自在とする箱型本体の側板に形成した溝部としての凸部用ガイド溝と、箱型本体の側板に設けた支持部としてのガイドピンと、同ガイドピンを摺動自在とする開閉体の側部に形成したガイドピン溝からなる
ことを特徴とする請求項１に記載の開閉体支持構造。
【請求項４】
支持機構は、開閉体の側部に設けた係合部としての凸部と、同凸部を摺動自在とする箱型本体の側板に形成した溝部としての凸部用ガイド溝と、箱型本体の側板に回転自在に軸支した支持部としてのローラと、同ローラを摺動自在とする開閉体の側部に形成したローラ用ガイド溝からなる
ことを特徴とする請求項１に記載の開閉体支持構造。
【請求項５】
開閉体の側部に回転自在に軸支した係合部としてのローラと、同ローラを摺動自在とする箱型本体の側板に形成した溝部としてのローラ用ガイド溝と、箱型本体の側板に設けた支持部としてのガイドピンと、同ガイドピンを摺動自在とする開閉体の側部に形成したガイドピン受け部からなる
ことを特徴とする請求項１に記載の開閉体支持構造。
【発明の詳細な説明】
【技術分野】
【０００１】
本発明は、開閉体支持構造に関する。
【背景技術】
【０００２】
従来より折り畳み式天板を備えた机１０１では、机本体１０２に天板１０３を蝶番１０４を介して連結した構造（図１７参照）であったり、或いは、天板の裏面に屈曲支持機構を配設する構造である。例えば、後者のような構造の技術が特許文献１に開示されている。
【先行技術文献】
【特許文献】
【０００３】
【特許文献１】実開平３−９３２３４号公報
【発明の概要】
【発明が解決しようとする課題】
【０００４】
上述した蝶番を介して天板を取り付けた机では、長年使用すると蝶番に負荷がかかるため机本体から天板が脱落してしまう問題があった。また、屈曲支持機構を介して天板を配設した机も同様に長年使用すると同機構に負荷がかかるため機構が破損してしまう問題があった。
【０００５】
本発明は上記の点に鑑みて、長年天板等の開閉体を水平垂直方向に可変して使用しても破損しにくい、開閉体の支持構造を提供するものである。
【課題を解決するための手段】
【０００６】
本発明の解決しようとする課題は以上の如くであり、次にこの課題を解決するための手段を説明する。
すなわち、請求項１により、前面開口の箱型本体と開閉体との間には、同開閉体を水平位置及び垂直位置に移動自在とする支持機構を配設して、支持機構は開閉体の両側部を支持する支持部と箱型本体の内壁面に形成した溝部と同溝部に係合する開閉体の両側部に設けた係合部とからなる開閉体支持構造を提供する。
【０００７】
請求項２により、支持機構は、開閉体の側部に回転自在に軸支した係合部としてのローラと、同ローラを摺動自在とする箱型本体の側板に形成した溝部としてのローラ用ガイド溝と、箱型本体の側板に設けた支持部としてのガイドピンと、同ガイドピンを摺動自在とする開閉体の側部に形成したガイドピン溝からなることを特徴とする。
【０００８】
請求項３により、支持機構は、開閉体の側部に設けた係合部としての凸部と、同凸部を摺動自在とする箱型本体の側板に形成した溝部としての凸部用ガイド溝と、箱型本体の側板に設けた支持部としてのガイドピンと、同ガイドピンを摺動自在とする開閉体の側部に形成したガイドピン溝からなることを特徴とする。
【０００９】
請求項４により、支持機構は、開閉体の側部に設けた係合部としての凸部と、同凸部を摺動自在とする箱型本体の側板に形成した溝部としての凸部用ガイド溝と、箱型本体の側板に回転自在に軸支した支持部としてのローラと、同ローラを摺動自在とする開閉体の側部に形成したローラ用ガイド溝からなることを特徴とする。
【００１０】
請求項５により、支持機構は、開閉体の側部に回転自在に軸支した係合部としてのローラと、同ローラを摺動自在とする箱型本体の側板に形成した溝部としてのローラ用ガイド溝と、箱型本体の側板に設けた支持部としてのガイドピンと、同ガイドピンを摺動自在とする開閉体の側部に形成したガイドピン受け部からなることを特徴とする。
【発明の効果】
【００１１】
本発明によれば、前面開口の箱型本体と開閉体との間には、同開閉体を水平位置及び垂直位置に移動自在とする支持機構を配設して、支持機構は開閉体の両側部を支持する支持部と箱型本体の内壁面に形成した溝部と同溝部に係合する開閉体の両側部に設けた係合部とからなる構成とすることにより、長年、箱型本体と開閉体との間に設けた支持機構を介して開閉体を水平垂直方向に可変して使用しても破損することなく使用することができる。
【図面の簡単な説明】
【００１２】
【図１】靴箱の天板を下した状態を示す斜視図である。
【図２】靴箱の天板を閉じた状態を示す斜視図である。
【図３】靴箱の天板を下した状態を示す正面図である。
【図４】（ａ）靴箱の天板を下した状態を示す側面図である。（ｂ）図４（ａ）の要部拡大図である。
【図５】天板及び側板を示す斜視図である。
【図６】（ａ）靴箱本体に天板を押し込んだ状態を示す側面図である。（ｂ）靴箱本体から天板を引き出した状態を示す側面図である。
【図７】（ａ）天板を水平から垂直方向に変位する状態を示す側面図である。（ｂ）天板を閉じた状態を示す側断面図である。
【図８】第２の支持機構の天板及び側板の要部を示す斜視図である。
【図９】（ａ）第３の支持機構の要部を示す側面図である。（ｂ）第３の支持機構の天板及び側板の要部を示す斜視図である。
【図１０】（ａ）靴箱本体のローラ用ガイド溝の変形例を示す要部拡大図である。（ｂ）ローラ用ガイド溝の変形例を示す要部拡大図である。
【図１１】第４の支持機構を使用した学習机の天板を閉じた状態を示す側面図である。（ｂ）学習机の天板を開いた状態を示す側面図である。
【図１２】第１の支持機構を使用した座席を示す側面図である。
【図１３】（ａ）第４の支持機構を使用したダッシュボードを閉じた状態を示す側面図である。（ｂ）第４の支持機構を使用したダッシュボードを開いた状態を示す側面図である。
【図１４】第１の支持機構を使用したベッドを示す斜視図である。
【図１５】（ａ）第１の支持機構を使用したベッドの開閉体を閉じた状態を示す側面図である。（ｂ）第１の支持機構を使用したベッドの開閉体を開いた状態を示す側面図である。
【図１６】（ａ）第４の支持機構を使用したベッドの開閉体を閉じた状態を示す側面図である。（ｂ）第４の支持機構を使用したベッドの開閉体を開いた状態を示す側面図である。
【図１７】（ａ）従来の折り畳み式天板を備えた机の天板を閉じた状態を示す側面図である。（ｂ）従来の折り畳み式天板を備えた机の天板を開いた状態を示す側面図である。
【発明を実施するための形態】
【００１３】
本開閉体支持構造は、キャビネット、靴箱、椅子、机、ベッド等の家具や航空機、鉄道等の座席や壁面や車のダッシュボードに設けて、開閉体をテーブル、座部、物置として使用できるものであり、その構成は以下の通りである。
【００１４】
本発明の開閉体支持構造は、前面開口の箱型本体と開閉体との間には、同開閉体を水平位置及び垂直位置に移動自在とする支持機構を配設して、支持機構は開閉体の両側部を支持する支持部と箱型本体の内壁面に形成した溝部と同溝部に係合する開閉体の両側部に設けた係合部とからなる。各支持機構は次のようなものが考えられる。
【００１５】
支持機構は、開閉体の側部に回転自在に軸支した係合部としてのローラと、同ローラを摺動自在とする箱型本体の側板に形成した溝部としてのローラ用ガイド溝と、箱型本体の側板に設けた支持部としてのガイドピンと、同ガイドピンを摺動自在とする開閉体の側部に形成したガイドピン溝からなる。
【００１６】
また、支持機構は、開閉体の側部に設けた係合部としての凸部と、同凸部を摺動自在とする箱型本体の側板に形成した溝部としての凸部用ガイド溝と、箱型本体の側板に設けた支持部としてのガイドピンと、同ガイドピンを摺動自在とする開閉体の側部に形成したガイドピン溝からなる。
【００１７】
さらに、支持機構は、開閉体の側部に設けた係合部としての凸部と、同凸部を摺動自在とする箱型本体の側板に形成した溝部としての凸部用ガイド溝と、箱型本体の側板に回転自在に軸支した支持部としてのローラと、同ローラを摺動自在とする開閉体の側部に形成したローラ用ガイド溝からなる。
【００１８】
支持機構は、開閉体の側部に回転自在に軸支した係合部としてのローラと、同ローラを摺動自在とする箱型本体の側板に形成した溝部としてのローラ用ガイド溝と、箱型本体の側板に設けた支持部としてのガイドピンと、同ガイドピンを摺動自在とする開閉体の側部に形成したガイドピン受け部からなる。
【００１９】
以下、本発明の実施の形態について図面を参照しながら詳細に説明する。
［実施例１］
実施例１は、開閉体支持構造を靴箱に適用した例である。開閉体は天板であり、箱型本体は靴箱本体に対応する。
【００２０】
図１から図４に示すように、開閉体支持構造Ｋは、複数の靴を収納する複数の収納棚１６，１６，１６を設けた前面開口の靴箱本体Ｃに水平位置から垂直位置に可動自在の開閉体としての天板Ａを有しており、靴箱本体Ｃと天板Ａとの間には、天板Ａを水平方向及び垂直方向に移動自在とする支持機構Ｇ１を設けている。
【００２１】
靴箱本体Ｃは、上板１１、底板１２、左右側板１３，１４、背板１５及び棚板１６を組み合せて箱型に構成している。図４及び図５に示す左右側板１３，１４の各内側部には、天板Ａの両側部３３，３４に軸支した各ローラＲ，Ｒをガイドするローラ用ガイド溝Ｕ，Ｕが形成されている。ローラ用ガイド溝Ｕは、側板１３，１４の内側部の後方から前方に向かって傾斜状に形成される。また、左右側板１３，１４の各内側部の前方位置には、突出したガイドピンＰ，Ｐを配設している。なお、ローラ用ガイド溝Ｕは、後方から前方に向かって斜めも形成した溝を傾斜部２１とし、後方から前方に向かいつつ傾斜部の始端まで形成した溝を水平部２０とする。
【００２２】
天板Ａは、矩形状の板構造であり、両側部３３，３４の後方位置には、それぞれローラＲ，Ｒを回転自在に軸支しており、さらに両側部３３，３４には、ガイドピンＰ，Ｐを摺動するための長孔形状のガイドピン溝Ｑ，Ｑが形成される。ローラＲ，Ｒは天板Ａの上部３１より上方に突出するように軸支することで天板Ａを変位させた場合にローラＲがローラ用ガイド溝Ｕの上縁を摺動しながら移動するため天板Ａの上部３１が靴箱本体Ｃの棚板１６に接触することを防止することができる。図中符号３０は天板Ａの前部であり、３５は天板Ａの後部である。
【００２３】
天板Ａの両ローラＲ，Ｒと左右側板１３，１４の両ローラ用ガイド溝Ｕ，Ｕと、左右側板１３，１４の両ガイドピンＰ，Ｐと、天板Ａの両ガイドピン溝Ｑ，Ｑが靴箱本体Ｃと天板Ａとの間で支持機構Ｇ１として機能する構成としている。かかる構成とすることにより重い天板であっても少ない力で開閉作動することができる。
【００２４】
［座部形態から閉塞形態への順序］
次に靴箱１の天板Ａを靴を履くときの座部として使用する座部形態から靴箱本体Ｃを閉じた閉塞形態へ変形する順序について説明する。
【００２５】
先ず、図６及び図７に示すように、天板Ａの両側部３３，３４の各ローラＲ，Ｒは、靴箱本体Ｃの両側板１３，１４のローラ用ガイド溝Ｕ，Ｕにそれぞれ摺動自在に係合され、さらに、天板Ａの両側部３３，３４の各ガイドピン溝Ｑ，Ｑには、靴箱本体Ｃの両側板１３，１４から突出した各ガイドピンＰ，Ｐが摺動自在に係合されている。
【００２６】
図６（ａ）に示す座部形態において、天板Ａは、支持機構Ｇ１により片持ち支持され、ローラＲ，Ｒがローラ用ガイド溝Ｕ，Ｕに挟持されている。
さらに、天板Ａの前底部３２には立設した四角形状の脚部Ｆを配置し、天板Ａを２点にて支持する構成としている。
【００２７】
次に、図６（ｂ）に示すように、靴箱本体Ｃの後部から引き出した状態の天板Ａを傾斜部２１の始端２１ａから斜め下方に押し込むと、天板Ａの両側部３３，３４の各ローラＲ，Ｒが靴箱本体Ｃの両側板１３，１４の各ローラ用ガイド溝Ｕ，Ｕにガイドされながら回転移動し、同時に、天板Ａの両側部３３，３４のガイドピン溝Ｑ，Ｑに靴箱本体Ｃの側板１３，１４のガイドピンＰ，Ｐが係合（遊嵌）した状態で摺動移動して、天板Ａが靴箱本体Ｃ内の前方に移動する。両ガイドピンＰ，Ｐは天板Ａの中途部を両サイドから支持することとなる。
【００２８】
図７（ａ）に示すように、さらに、天板Ａを靴箱本体Ｃに押し込むと、最終的には図７（ｂ）に示すように側板１３，１４前部のローラ用ガイド溝Ｕ，Ｕの終端の窪み部２２に係合することで靴箱本体の開口を天板Ａが閉塞した閉塞状態となる。
【００２９】
また、天板Ａが水平方向（開放）から垂直方向（閉鎖）に変位するため、そのまま座部として使用すると不用意に天板Ａが起立する可能性があり、不用意に天板Ａが起立しないように次のような構成を備えるようにしている。
【００３０】
すなわち、図４（ａ）及び図５に示すように、天板ＡのローラＲ，Ｒをガイドするローラ用ガイド溝Ｕ，Ｕにおいて、その水平部２０の終端２０ｂから傾斜部２１の始端２１ａまでの間に位置するように構成する。ローラ用ガイド溝Ｕの水平部２０の終端２０ｂにローラＲが位置していることで、天板Ａが起立することがなくなる。図４Ｂ中の符号２０ａは水平部２０の始端であり、２１ｂは傾斜部２１の終端であり、２３は天板Ａの後部に当接する終端ピンである。
【００３１】
天板Ａを起立する際には、天板Ａを若干前方へ移動して、天板の両ローラＲ，Ｒがローラ用ガイド溝Ｕの傾斜部２１の始端２１ａに位置することで、両ローラＲ，Ｒが傾斜部２１の始端２１ａから終端２１ｂに向かって斜め下方に移動して天板Ａを起立させた閉塞状態とすることができる。上記のような傾斜部２１の形状とすることより天板を水平から垂直方向に変位する際に負荷なく移動することができる。
【００３２】
なお、靴箱本体Ｃに天板Ａを起立して閉塞した閉塞状態から座部状態に変位する手順は、上述した手順と逆の操作を行うことで、天板Ａを座部として使用することができる。
【００３３】
靴箱本体Ｃと天板Ａとの間に設ける第１の支持機構Ｇ１としては、上述した構成の他に次のような構成でも可能である。なお、下記第２及び第３の支持機構においては、上述した第１の支持機構と同一の符号を付した構成について重複説明を省略する。
【００３４】
［第２の支持機構］
上述した第１の支持機構Ｇ１は、天板Ａの両側部３３，３４にローラＲ，Ｒを軸支したが、図８に示すように、第２の支持機構Ｇ２ではローラに代えて天板Ａの両側部３３，３４にピン状の凸部４０，４０をそれぞれ設ける構成としている。
【００３５】
さらに、靴箱本体Ｃの両側板１３，１４には、天板Ａの両側部３３，３４の各凸部４０に係合する凸部用ガイド溝Ｕ、Ｕを形成している。
【００３６】
また、天板Ａの両側部３３，３４には、第１の支持機構と同様に長孔としてのガイドピン溝Ｑ，Ｑがそれぞれ形成されており、靴箱本体Ｃの両側板１３，１４には、ガイドピン溝Ｑ，Ｑに係合するガイドピンＰ，Ｐをそれぞれ突設している。
【００３７】
すなわち、天板Ａの両側部３３，３４の各凸部４０，４０は、靴箱本体Ｃの両側板１３，１４の凸部用ガイド溝Ｕ，Ｕにそれぞれ摺動自在に係合され、さらに、天板Ａの両側部３３，３４の各ガイドピン溝Ｑ，Ｑには、靴箱本体Ｃの両側板１３，１４から突出した各ガイドピンＰ，Ｐが摺動自在に係合されている。
【００３８】
第２の支持機構Ｇ２としては、天板Ａの両ガイドピン溝Ｑ，Ｑ及び両凸部４０，４０、靴箱本体Ｃの側板１３，１４の両ガイドピンＰ，Ｐ及び両凸部用ガイド溝Ｕ，Ｕとにより構成することで、靴箱本体と天板との間に第１の支持機構Ｇ１を備えた実施形態と同様に、天板Ａを水平方向及び垂直方向に移動することができる。かかる構成を備えることで開閉体支持構造Ｋを備えた靴箱１は、天板を座部形態から閉塞形態へと変位することができる。
【００３９】
［第３の支持機構］
上述した第１の支持機構Ｇ１は、天板Ａの両側部３３，３４にローラＲ，Ｒを軸支し、さらに、靴箱本体Ｃの左右側板１３，１４にガイドピンＰを配設する構成としたが、ローラ及びガイドピンとの取り付け関係を逆となるように、図９中の第３の支持機構Ｇ３では、天板Ａの左右側部３３，３４にピン状の凸部４０，４０をそれぞれ設け、さらに、靴箱本体Ｃの左右側板１３，１４にローラＲ’，Ｒ’をそれぞれ配設する構成としている。
【００４０】
すなわち、図９に示す第３の支持機構Ｇ３は、天板Ａの左右側部３３，３４内側に設けたピン状の凸部４０，４０と、同凸部４０，４０を摺動自在とする靴箱本体Ｃの側板１３，１４に形成した凸部用ガイド溝Ｕ，Ｕと、靴箱本体Ｃの側板１３，１４に回転自在に軸支したローラＲ’，Ｒ’と、同ローラＲ’，Ｒ’を摺動自在とする天板Ａの側部３３，３４に形成した長孔のローラ用ガイド溝Ｑ’，Ｑ’から構成している。
【００４１】
天板Ａの両側部３３，３４の各ピン状の凸部４０，４０は、靴箱本体Ｃの両側板１３，１４の凸部用ガイド溝Ｕ，Ｕにそれぞれ摺動自在に係合され、さらに、天板Ａの両側部３３，３４の各長孔のローラ用ガイド溝Ｑ’，Ｑ’には、靴箱本体Ｃの両側板１３，１４から突出した各ローラＲ’，Ｒ’が回転自在に係合されている。
【００４２】
第３の支持機構Ｇ３としては、上記構成とすることで、靴箱本体Ｃと天板Ａとの間に第１の支持機構Ｇ１を備えた実施形態と同様に、天板Ａを水平方向及び垂直方向に移動することができる。かかる構成を備えることで閉塞体支持機構Ｋを備えた靴箱１は、天板Ａを座部形態から閉塞形態へと変位することができる。
【００４３】
上述した各支持機構のローラ用或いは凸部用ガイド溝Ｕの形状については、さまざまな溝形状が考えられ、例えば、図１０に示すような靴箱本体Ｃの左右側板１３，１４の幅方向において後部から中央の間にローラ用ガイド溝Ｕの水平部２０を形成し、傾斜部２１を所定の長さだけ下方に形成し、さらに前方に向かって水平に形成するようにしてもよい。
【００４４】
図１１に示す学習机は、第４の支持機構Ｇ４を適用したものであり、第４の支持機構について説明する。
【００４５】
第４の支持機構Ｇ４は、ローラ用ガイド溝Ｕが略１／４円形状の傾斜部２１のみから構成され、天板Ａの左右側部３３の中途部には机本体Ｃの左右側板１３，１４のガイドピンＰ，Ｐを受けるガイドピン受け部４１が穿設されている。
【００４６】
すなわち、天板Ａの両側部３３，３４のローラＲ，Ｒは、靴箱本体Ｃの両側板１３，１４のローラ用ガイド溝Ｕ，Ｕにそれぞれ摺動自在に係合され、さらに、天板Ａの両側部３３，３４の各ガイドピン受け部４１，４１には、靴箱本体Ｃの両側板１３，１４から突出した各ガイドピンＰ，Ｐが摺動自在に係合されている。
【００４７】
第４の支持機構Ｇ４では、天板Ａの両ガイドピン受け部４１，４１及び両ローラＲ，Ｒ、靴箱本体Ｃの側板１３，１４の両ガイドピンＰ，Ｐ及び両ローラ用ガイド溝Ｕ，Ｕとにより構成することで、天板Ａを水平方向及び垂直方向に移動することができる。かかる構成を備えることで開閉体支持構造Ｋを備えた学習机５１では、天板をテーブル形態から閉塞形態へと変位することができ、長年天板の開閉を行っても壊れることなく使用することができる。
【００４８】
図１２及び図１３は開閉体支持構造を航空機等の座席や自動車のダッシュボードに応用した例である。
すなわち、図１２は航空機或いは鉄道の座席５２を示しており、座席５２に第１の支持機構Ｇ１からなる開閉体支持構造を使用したものである。
座席５２の背もたれの背部に箱型本体Ｃを埋設し、箱型本体Ｃの左右側部と天板Ａとの間に第１の支持機構Ｇ１を設ける構造としている。
このような航空機或いは電車の座席５２においても開閉体支持構造を適用することができる。箱型本体Ｃの棚板１６には雑誌等が載置することができる。なお、第１の支持機構Ｇ１の構造、作用、効果については、重複説明を省略する。
【００４９】
また、図１３は自動車の助手席前のダッシュボードに第４の支持機構Ｇ４からなる開閉体支持構造を使用したものである。
ダッシュボードの箱型本体Ｃと開閉体Ａとの間に第４の支持機構を設ける構成としている。
開閉体Ａには、その中途部の左右側部に穿設したガイドピン用の受け部４１を形成し、開閉体Ａの下端の左右側部より突設したステーを形成し、各ステーの外側に回転自在のローラＲ，Ｒをそれぞれ軸支している。また、箱型本体Ｃには、その左右側板にガイドピンＰ，Ｐを配設すると共に、ローラＲ，Ｒをガイドするローラ用溝Ｕを形成している。
【００５０】
ダッシュボードの開閉体Ａを閉じた状態から開いた状態とする際に、開閉体Ａの左右側部がガイドピンＰ，Ｐで軸支されると共に、開閉体ＡのローラＲ，Ｒがローラ用溝Ｕ，Ｕにガイドされながら回転するため、長期に渡り使用しても壊れにくい開閉体支持機構とすることができる。また、開閉体Ａ上に例えば飲み物を載置しても耐久性のあるテーブルとして使用することができる。
【００５１】
このような自動車用ダッシュボード５３においても開閉体支持構造を適用することができる。なお、第４の支持機構Ｇ４の構造、作用、効果については、重複説明を省略する。
【００５２】
図１４、図１５及び図１６は開閉体支持構造をベッドに適用した例である。
すなわち、図１４及び図１５は収納部つきベッド６１を示しており、ベッド６１に第１の支持機構Ｇ１からなる開閉体支持構造Ｋを使用したものである。
例えば、建物の壁部に箱型本体Ｃを埋設し、箱型本体Ｃの左右側部と天板Ａとの間に第１の支持機構Ｇ１を設ける構造としている。
このようにベッド６１においても開閉体支持構造Ｋを適用することができる。
【００５３】
ベッド６１として使用する場合は、箱型本体Ｃに起立した天板Ａを手前に倒して水平に変位することで、天板Ａの裏面側が寝所となる。天板Ａの裏面側には布団等の寝具６２を備えている。
すなわち、天板Ａ上の布団等の寝具６２は、不使用時にベルト等の拘束具で固定し、天板を起立して箱型本体Ｃに収納することができる。
さらに、箱型本体Ｃ内に可動式の棚を配設することで、収納スペースとして使用することができる。なお、第１の支持機構Ｇ１の構造、作用、効果については、上述した通りであり重複説明を省略する。
【００５４】
また、図１６はベッド６１に第４の支持機構Ｇ４からなる開閉体支持構造を使用したものである。
例えば、建物の壁部に箱型本体Ｃを埋設し、箱型本体Ｃの左右側部と天板Ａとの間に第４の支持機構Ｇ４を設ける構造としている。
このようにベッド６１においても開閉体支持構造Ｋを適用することができる。箱型本体Ｃ内の下部に布団等の寝具６２を収納する寝具収納部６３を設けるようにしている。
【００５５】
ベッド６１として使用する場合は、箱型本体Ｃに起立した天板Ａを手前に倒して水平とする。次に、寝具収納部６３から寝具６２を引き出して、天板Ａ上に敷いて寝所となす。第４の支持機構Ｇ４を備えたベッド６１は、第１の支持機構Ｇ１を備えたベッド６１に比べて、寝具収納部６３上のスペースも寝所として利用でき、より広い空間を得ることができる。
さらに、箱型本体Ｃ内に可動式の棚を配設することで、収納スペースとして使用することができる。なお、第４の支持機構Ｇ４の構造、作用、効果については、上述した通りであり重複説明を省略する。
【００５６】
なお、ベッド６１においては、第１の支持機構Ｇ１及び第４の支持機構Ｇ４を使用した開閉体支持構造Ｋについて説明したが、第２の支持機構Ｇ２及び第３の支持機構Ｇ３を適用することもできる。
【００５７】
上述した開閉体支持構造Ｋは、靴箱、机、キャビネット、椅子、ベッド等の家具や航空機、鉄道等の座席や壁面や自動車のダッシュボード等に設けることができ、その他、さまざまな製品においても適用することが可能である。
【００５８】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００５９】
Ｋ  開閉体支持構造
Ａ  天板
Ｃ  靴箱本体
Ｇ１  第１の支持機構
Ｇ２  第２の支持機構
Ｇ３  第３の支持機構
Ｇ４  第４の支持機構
Ｐ  ガイドピン
Ｑ  ガイドピン溝
Ｒ  ローラ
Ｕ  ローラ用ガイド溝
１  靴箱
１１  上板
１２  底板
１３  側板
１４  側板
１５  背板
１６  棚板
３１  上部
３２  底部
３３  側部
３４  側部
４１  ガイドピン受け部
５１  学習机
５２  座席
５３  自動車用ダッシュボード
６１  ベッド
６２  寝具
６３  寝具収納部
【図１】
2017213116.tif 000003
【図２】
2017213116.tif 000004
【図３】
2017213116.tif 000005
【図４】
2017213116.tif 000006
【図５】
2017213116.tif 000007
【図６】
2017213116.tif 000008
【図７】
2017213116.tif 000009
【図８】
2017213116.tif 000010
【図９】
2017213116.tif 000011
【図１０】
2017213116.tif 000012
【図１１】
2017213116.tif 000013
【図１２】
2017213116.tif 000014
【図１３】
2017213116.tif 000015
【図１４】
2017213116.tif 000016
【図１５】
2017213116.tif 000017
【図１６】
2017213116.tif 000018
【図１７】
2017213116.tif 000019